(57)【特許請求の範囲】
【請求項１】
蒸散器と、この蒸散器の蒸散口より蒸散される蒸散薬剤を拡散するファンとを収納体内に収納してなる蒸散装置において、
上記蒸散器をファン本体の真下に、この蒸散器の蒸散口をファン本体に対向させて設置すると共に、ファンの吸い込み側と蒸散器との間に隔壁を設け、蒸散器より蒸散される蒸散薬剤がファンに直接吸引されないようにしたことを特徴とする蒸散装置。
【請求項２】
蒸散器の蒸散口が、ファン本体の吹き出し側端より、この吹き出し端を含む送風方向上流側に位置するようにして蒸散器を配置した
ことを特徴とする請求項１記載の蒸散装置。
【請求項３】
ファンが水平面または垂直面で回転可能になっていることを特徴とする請求項１または請求項２に記載の蒸散装置。
【請求項４】
蒸散器の蒸散口とファン本体との距離が１〜９ｃｍであり、またファンの吹き出し風速が１〜１０ｍ／秒であることを特徴とする請求項１から請求項３のいずれか１項に記載の蒸散装置。
【発明の詳細な説明】
【０００１】
【発明の属する技術分野】
本発明は、害虫駆除、芳香消臭などを目的として薬剤を蒸散させると共にファンを用いて広く拡散させるようにした蒸散装置に関する。
【０００２】
【従来の技術】
蒸散装置は処理したい空間に薬剤を蒸散させて害虫駆除や芳香消臭を行うものである。そしてその利用目的に応じて連続、または間欠的にこれを駆動させている。電気蚊取り器や電気消臭器がこれに該当する。また、薬剤を加熱せずに常温で薬剤を蒸散させる場合もある。
【０００３】
薬剤を蒸散させて害虫駆除や芳香消臭を行う場合、その空間と蒸散薬剤量との間には密接な関係があり、効果効能を得るために必要な量以上の薬剤を蒸散させる必要がある。そして、一般に蒸散装置が用いられるのは床面積が２６．４ｍ２（８坪）以下の空間であり、この範囲にあっては加熱蒸散剤の熱拡散効果だけで十分に拡散してその目的効果をはたしている。
【０００４】
【発明が解決しようとする課題】
処理しようとする空間の床面積が２６．４ｍ２以上になると加熱蒸散剤の熱拡散効果だけでは十分な拡散ができなくなる。処理空間の容積が大きくなればそれに応じて蒸散させる薬剤の蒸散量もこれに比較して増やす必要があるのが一般的である。
【０００５】
ところが、増やした蒸散薬剤が十分に拡散されないと処理空間の中で蒸散した薬剤が濃い部分と、薄い部分ができ、薬剤効果の偏りや安全性に関する危惧が生じてくる。
【０００６】
大きな処理空間で蒸散させた薬剤を十分に拡散させるためにファンを使用して送風することは常識的であるが、蒸散器とファンを組み合わせると、ファンの送風によって蒸散器の発熱部や薬剤蒸散部分が冷やされて温度低下を引き起こし、薬剤を蒸散させる能力が低下してしまう（例えば実開昭６３−２０７８２号、特開昭６１−１１１６４６号）。
【０００７】
蒸散器が液体加熱方式の場合、薬剤を含浸させた芯を主として空気の伝熱によって加熱するから、ファンからの送風で芯の周囲の空気が送風によって冷やされると芯からの薬剤の蒸散能力が低下し、期待する効果が得られなくなる。
【０００８】
処理空間が広くなる程強力なファンが必要となるが、それだけ蒸散器の発熱部や薬剤蒸散部が冷やされて温度低下もひどくなり、必要な薬剤量の蒸散が困難となる。
【０００９】
なお、送風によって蒸散器に温度低下が生じて薬剤蒸散能力が低下してしまう現象と薬剤が送風によって十分に拡散させることの必要性との相反する条件を同時に満足させることができる領域が存在することがすでに研究され特開平１１−１２７７５６号公報にて出願もされている。
【００１０】
本発明はさらに創意工夫を積み重ね、上記出願技術以外にも、上記相反する条件を同時に満足させる領域が存在し得る条件を整え、さらにより有用な構造を創意工夫して、薬剤蒸散部の蒸散能力を損なうことなく広い処理空間においても蒸散薬剤を均一に拡散することができ、また、薬剤蒸散部から蒸散した蒸散薬剤がファンの吸い込み側から吸引されることがなく、従ってファンが蒸散薬剤により汚染されることがないようにした蒸散装置を提供することを目的とするものである。
【００１１】
【課題を解決するための手段及び作用】
本発明者らの研究及び実験の結果、上記送風による蒸散器の薬剤蒸散能力の低下と、送風による薬剤拡散の必要性の相反する条件を同時に満足させる領域は、ファンの送風気流周辺だけでなく、送風気流周辺からはずれた部分にも条件によっては存在することがわかった。
【００１２】
すなわち、ファンの送風気流周辺からはずれたファン本体の周辺、さらに詳しくはファン本体の左右方向と上下方向部分である。
【００１３】
通常この部分に蒸散器の薬剤蒸散口があると、蒸散薬剤はファンの吸い込み側から吸引される場合がある。この吸い込み側から蒸散薬剤を吸引されると、ファンの羽根に薬剤が付着して蒸散薬剤量が損なわれると共に、ファンの羽根が汚れてしまうので好ましくはない。
【００１４】
そこで本発明では、蒸散器と、この蒸散器の蒸散口より蒸散される蒸散薬剤を拡散するファンとを収納体内に収納してなる蒸散装置において、上記蒸散器をファン本体の真下に、この蒸散器の蒸散口をファン本体に対向させて設置すると共に、ファンの吸い込み側と蒸散器との間に隔壁を設け、蒸散器より蒸散される蒸散薬剤がファンに直接吸引されないようにした。
そして、上記蒸散器の蒸散口が、ファン本体の吹き出し側端より、この吹き出し端を含む送風方向上流側に位置するようにして蒸散器を配置した。
【００１５】
これにより上記相反する条件を同時に満足することができると共に、蒸散薬剤がファンのどこにも接触されないで蒸散装置より放出される。蒸散薬剤がファンのどこにも接触しないということは、蒸散装置のファンが蒸散薬剤で汚染されないことを意味する。
【００１６】
〔試験例１〜３〕
この状態を煙を使って可視化させて観察したのが試験例１〜３である。この各試験例を図１〜図３にて説明する。なお図中１はファンのファン本体、２はファン本体１の下端から吸い込み上流側へ延設して、ファン本体の吸い込み側と、これの下側とを含む周囲とを隔てる隔壁である。そして図中３，４はファンの吹き出し気流の送風上縁と送風下縁である。
【００１７】
試験例１は、ファン本体１の下方２ｃｍの位置で、かつファン本体１の送風方向に位置をずらせた３個所のａ，ｂ，ｃに煙源を置いた場合、試験例２は、同様にファン本体１の下方５ｃｍのａ，ｂ，ｃの位置に煙源を置いた場合、試験例３は、ファン本体１の下方１０ｃｍのａ，ｂ，ｃの位置に煙源を置いた場合の各煙源からの煙の軌跡を示す。上記煙源のａ，ｂ，ｃの各位置は、ａはファン本体１の吹き出し側端と同位置、ｂはこれより１５ｍｍ、ｃは３０ｍｍそれぞれ吸い込み側へ水平に離間した位置である。
【００１８】
この各試験例における煙の動向を観察すると、試験例１と２の場合の、ファン本体１の真下へ２ｃｍ、５ｃｍの位置に置かれた各煙源ａ，ｂ，ｃからの煙は、ファンの吹き出し方向へゆるやかにカーブを描きながら上昇し、真上に位置するファン本体１に到達せず、吹き出し気流に吸引同伴された。試験例３の煙源ａ，ｂ，ｃがファン本体１の真下へ１０ｃｍの位置に置かれた場合には、大部分の煙が吹き出し気流に吸引同伴されるが、この煙は途中で揺らぎ、分岐する現象が観察された。
【００１９】
上記各試験例１，２，３の結果から考察すると、ファン本体１の真下に配置される煙源ａ，ｂ，ｃからの煙が、揺らいだり、分岐することなしに安定して吹き出し気流に吸引されるには、試験例３に示すようにファン本体１からの距離１０ｃｍでは遠すぎる。そしてこの試験例３に付随して、試験した結果、煙が安定して吹き出し気流に吸引されるのはファン本体１からの距離が９ｃｍまでであることが判った。
【００２０】
また、試験例１に示したように、煙源がファン本体１から２ｃｍ離間していれば煙は十分安定して吹き出し気流に吸引される。そしてこの試験例１には付随して試験した結果、ファン本体１からの距離が１ｃｍ未満でも煙が安定して吹き出し気流に吸引されたが、１ｃｍより近い位置からの煙の一部はファン本体１の下側面に接触する現象が観察された。
【００２１】
これらのことから、ファン本体１と蒸散器の蒸散口の間の距離は１ｃｍ以上、９ｃｍ以下のときに本発明の目的を達成されることが分かった。また、上記各試験例において、各煙源ａ，ｂ，ｃからの煙は隔壁２にさえぎられて、ファンの吸い込み側へまわることがなく、従って、この煙がファンにて吸い込まれることがなかった。
【００２２】
〔試験例４〕
次に、ファン本体１の真下に蒸散器に配置し、これの蒸散口の位置が、上記試験１〜３におけるａ，ｂ，ｃで、かつそれぞれの位置で、かつファン本体１から垂直方向下側へ離間した複数位置における蒸散芯温度を試験例４にて調べた。その結果を表１にて示す。なお、この試験で使用したファンの仕様は、サイズ６０×６０ｍｍ、ファン本体の厚さ（軸方向長さ）３０ｍｍ、風速６ｍ／秒、蒸散器の仕様は、図６で示した蒸散器８を使用し、これの蒸散芯温度１１８℃、試験室は室温２５℃、無風状態、使用した温度計は、熱伝対表面温度計（ＨＬ−３００、安立計器）である。
【００２３】
【表１】
0004314547.tif 000002
【００２４】
この試験例４の結果、蒸散器の蒸散芯の温度は、無風状態で測定した値と殆ど変わらず、ファン本体１から下方へ５ｍｍ以上離間していれば蒸散性能が、ファンによる吹き出し気流によって失われる心配がないことが確められた。
【００２５】
〔試験例５〕
上記した試験例４における効果がファンの風速でどう変わるかを試験例５にて調査した。その結果を表２にて示す。なおこの場合の蒸散口の位置がファン本体の下方へ１０ｍｍ離間し、水平方向位置では吹き出し側端から１５ｍｍ（ｂ位置）にした。なお、このときに使用した蒸散器と温度計は試験例４と同じである。また風速計はＴｒ式微風速計（リオン社製）を用いた。
【００２６】
【表２】
0004314547.tif 000003
【００２７】
この試験例５の結果から、風速１ｍ／秒未満のファンでは、蒸散口からの煙を吹き出し気流へ吸引する力が十分でなく、煙がファン本体に到達する現象が認められた。このことはファンが蒸散薬剤で汚染されることを意味する。なお、この風速では蒸散口をファン本体の真横に位置させると煙が吹き出し気流に吸引されずにそのまま上昇してしまうことになる。一方、風速が１０ｍ／秒を越えると蒸散器の蒸散芯の温度低下が認められた。
【００２８】
この試験例５からは、ファンの風速が１ｍ／秒以上、１０ｍ／秒以下であることが望ましい。
【００２９】
【発明の実施の態様】
次に本発明の実施例を図面４以下に基づいて説明する。なお、これらの実施例は本発明に何ら制約や限定を与えるものではない。
【００３０】
〔実施例１〕
図４、図５は実施例１における蒸散装置Ａ１を示すもので、図中５は中空で、かつ縦長の平面形状が矩形状に形成された収納体であり、この収納体５の上部にファン本体１が吹き出し側を前方へ向けて設置してある。そしてこの吹き出し側に対向する前壁に吹き出し口６が、また後壁に吸引口７が設けられている。ファン本体１の真下に蒸散器８が、これの蒸散口９をファン本体１に対向させて設置してある。そしてファン本体１の吸い込み側の下部には、これの吸い込み側と蒸散器８との間を遮断する隔壁２が設けてある。１１はファン室と蒸散器室とを仕切る仕切り壁であり、この仕切壁１１に、本実施例では蒸散口９を設けた。この蒸散口９はファン本体１の真下に１．５ｃｍの位置になるようにした。図中１８は空気流入孔である。
【００３１】
そして、蒸散器８としては、例えば電気蚊取器に代表される、例えば図６に示すように、ボトル１２に入っている液状薬剤を吸液芯１３で吸い上げ、これを発熱体１４で加熱することにより上記薬剤を蒸散する薬剤吸い上げ式のものを用いる。そしてこの液状薬剤には殺虫剤であるｄ・ｄ−Ｔ８０−プラレトリンを用いた。なお、図６に示したような蒸散器８の完全体（発熱体１４、蒸散口９、外郭の全てを備えているもの）を利用する場合は上記仕切り壁１１は特になくてもよい。
【００３２】
上記ファン本体１内のファンはプロペラ型、スクリュウ型、ロータリファン型、シロッコファン型のいずれでもよいが、これの送風速度としては試験例５から１．０〜１０．０ｍ／秒のものを用いるが、本実施例では６ｍ／秒のものを使用した。
【００３３】
上記構成の蒸散装置Ａ１を図７に示すように、４９．５ｍ２（１５坪）の長方形の部屋１５の短い方の壁の中央に送風方向を反対側の壁の中央に向けて設置した。そして蚊をそれぞれ１５匹ずついれた網製の袋を３．３ｍ２当たり１袋の割合で１５袋（１）〜（１５）吊るし、蒸散装置Ａ１を稼動させて各袋（１）〜（１５）内の９０％の蚊が落下仰転する時間を測定した。その結果を表３に示す。
【００３４】
【表３】
0004314547.tif 000004
【００３５】
この実施例１での結果は表３に示されるように、どの袋の蚊も２０分以内にこれの９０％が落下仰転し、４９．５ｍ２の部屋に蒸散薬剤が均一に拡散され、均一な効力が発現したことが確認された。
【００３６】
また、蒸散装置Ａ１を、蒸散薬剤が無くなれば新しいボトルと交換しながら３ヶ月間連続して稼動させた。そして３ヶ月間連続稼動後に蒸散装置Ａ１の内部を調べた結果、蒸散口がファン本体１の真下にあるにもかかわらず、ファンへの薬剤の付着や汚染は全く無かった。
【００３７】
〔実施例２〕
図８、図９は実施例２における蒸散装置Ａ２を示すもので、この蒸散装置Ａ２の収納体１６はファン本体１を収納する上部収納体１６ａと蒸散器８を収納する下部収納体１６ｂとに分離されており、かつ下部収納体１６ｂに対して上部収納体１６ａは下部収納体１６ｂの正面に対して４５゜ずつ左右に回転できるように結合されている。この実施例２でのファン本体１は実施例１と同じもの、蒸散器８は図６に示したものを用いた。
【００３８】
上記構成の蒸散装置Ａ２を図１０に示すように、実施例１で示した場合と同一の状態にした部屋１５の角に吊り下げ、吹き出し口６が部屋１５の中央に向くように上部収納体１６ａを回転して設置して、実施例１と同様にして稼動して、各袋（１）〜（１５）内の９０％の蚊が落下仰転する時間を測定した。その結果を表４に示す。
【００３９】
【表４】
0004314547.tif 000005
【００４０】
この実施例２での結果は表４に示すように、どの袋の蚊も２０分以内にこれの９０％が落下仰転し、４９．５ｍ２の部屋に蒸散薬剤が均一に拡散され、均一な効力が発現したことが確認された。
【００４１】
また、蒸散装置Ａ２を、蒸散薬剤が無くなれば新しいボトルと交換しながら３ヶ月連続して稼動させた。そして３ヶ月間連続稼動後に蒸散装置Ａ２の内部を調べた結果、蒸散口がファン本体１の真下にあるにもかかわらず、ファンへの薬剤の付着や汚染は全く無かった。
【００４２】
またこの実施例２では上部収納体１６ａを正面に対して４５゜ずつ左右に回転できる例を示したが、この上部収納体１６ａを正面に対して所定の角度にわたって上下方向に回転するようにしてもよい。
【００４３】
〔実施例３〕
図１１〜図１４は実施例３における蒸散装置Ａ３を示すもので、この蒸散装置Ａ３の収納体１７は平面形状が横長になっていて、これの前方向及び左右方向の中央部にファン本体１が設置してあり、前面壁に吹き出し口６が、また後面に吸引口７が設けてある。そしてこのファン本体１の吸い込み側と後面壁との間に、吸引口７からの吸気通路を収納体１７の内側の他の部分と離隔する隔壁２がファン本体１の両側及び下側に設けてある。
【００４４】
ファン本体１の左右両側に図６に示したものと同じ蒸散器８，８が設置されている。この各蒸散器８，８は、これの蒸散口９がファン本体１の高さ方向略中間部分の側面に対向する位置に上方へ向けて開口する状態に設置されている。この各蒸散器８，８が設置されている部分とファン本体１の吸い込み側とは隔壁２にて仕切られており、蒸散口９からの蒸散薬剤はファン本体１の吸い込み側に直接吸い込まれることがないようになっている。
【００４５】
上記構成の蒸散装置Ａ３を図７で示した実施例１の場合と同様に、ただし、部屋１５の広さを１３４．６ｍ２（４２坪）にし、その他は実施例１の条件と同じにして効力試験を行った。その結果を表５に示す。
【００４６】
【表５】
0004314547.tif 000006
【００４７】
この実施例３では、どの袋の蚊も２０分以内にこれの９０％が落下仰転し、１３４．６ｍ２の部屋に蒸散薬剤が均一に拡散され、均一な効力が発現したことが確認された。
そしてこの実施例のように、ファン本体の送風方向に対する両側から下側にわたる範囲内に蒸散口が配置されるように蒸散器を少なくとも１個配置したことにより、蒸散器の蒸散能力を損なわずに、確実に蒸散薬剤をファンの気流を広い空間においても均一に拡散することができるだけでなく極めてコンパクトに構成することができる。
【００４８】
また、蒸散装置Ａ３を、蒸散薬剤が無くなれば新しいボトルと交換しながら３ヶ月間連続して稼動させた。そして３ヶ月間連続稼動後に蒸散装置Ａ３の内部を調べた結果、蒸散口がファン本体１の真横にあるにもかかわらず、ファン本体１や収納体内１７の内側への薬剤の付着や汚染は全く無かった。
【００４９】
上記各実施例のうち、実施例２においては図８、図９に示すように、ファン本体１が蒸散器８の蒸散口９の真上にあることにより、これらの位置関係を保ちながらファンの送風方向を水平に回転させる場合に、図１５に示すように、このファン本体１は蒸散器８の真上で、かつ蒸散器８の軸心に沿って回転することになり、極めて狭い範囲で回転できる。そしてこの構成では、自動水平首振り等の機能を持った蒸散装置を極めてコンパクトに構成できる。
【００５０】
また、上記実施例２及び、ファン本体１が蒸散器８の真横に位置させた実施例３の場合において、これらの位置関係を保ちながらファンの送風方向を垂直方向に回転させると、その回転軸はファン本体内にあり、極めて狭い範囲内での回転が可能になり、蒸散装置の上下方向に風向を変えたり、自動上下首振り等の機能を持った蒸散装置を極めてコンパクトに構成できる。
【００５１】
なお、図１６は比較図である。すなわち、ファン本体１が蒸散器８の蒸散口９から風の吹き出し方向上流側へ離間している場合、蒸散口９に対してファン本体１を回転方向に移動して風の吹き出し方向を変えようとする場合、蒸散口９から離間している分だけファン本体１の回転に占める部分が大きくなり、その分装置が大きくなってしまうことが分かる。
【００５２】
なお上述した各実施例においては蒸散器８に用いた蒸散薬剤にｄ・ｄ−Ｔ８０−プラレトリンを用いた例を示したが、この蒸散薬剤に他の殺虫剤及び害虫忌避剤、害虫成長阻害剤、殺菌消毒剤、芳香剤、消臭剤等を使用することができる。
【００５３】
他の殺虫剤としては、アレスリン、ｄｌ・ｄ−Ｔ８０−アレスリン、ｄｌ・ｄ−Ｔ−アレスリン、ｄ・ｄ−Ｔ−アレスリン、フタルスリン、ｄｌ・ｄ−Ｔ８０−フタルスリン、レスメトリン、ｄｌ・ｄ−Ｔ８０−レスメトリン、フラメトリン、ペルメトリン、フェノトリン、フェンバレレート、シペルメトリン、シフェノトリン、イミプロスリン、エトフェンプロックス、テフルスリン、フェンプロパトリン、フェンフルスリン、トランスフルトリン、エンペントリン、テラレスリン等ピレスロイド系化合物、ダイアジノン、ＤＤＶＰ、フェニトロチオン、フェニチオン、テメホス、ホキシム、アセフェート、ピリダフェンチオン、エトリムホス、マラチオン、プロチオホス、プロペタンホス、ピラクロホス、クロルピリホス、クロルピリホスメチル等の有機燐系化合物、ＮＡＣ、ペンチオカルブ、プロポクスル等のカーバメイト系化合物等が挙げられる。
【００５４】
また、害虫忌避剤としては、Ｎ，Ｎ−ジエチル―ｍ―トルアミド、ジメチルフタレート、ジブチルフタレート、２−エチル−１．３−ヘキサンジオール、ジ−ｎ−プロピルイソシンコメロネート、ｐ−ジクロロベンゼン、ジ−ｎ−ブチルサクシネート、カラン−３，４ジオール、１−メチルプロピル２−（２−ヒドロキシエチル）−１−ピペリジンカルボキシラート、Ｎ，Ｎ−ジエチル−ｍ−トルアミド、ジ−ｎ−ブチルサクシネート、ジ−ｎ−プロピリイソシンコメロネート、ｐ−メンテン−３，８ジオール、ユーカリブトール、グアニジン等があげられる。
【００５５】
また、害虫成長阻害剤としては、ジフルベンズロン、ブプロフェジン等のキチン合成阻害剤、ピリプロキシフェン、ハイドロプレン等の幼若ホルモン様物質等が挙げられる。
【００５６】
さらに、殺菌剤、除菌剤としては、塩化セチルピリジニウム、クロルヘキシジン、塩化ベンゼトニウム、塩化デカリニウム、トリクロサン、パラクロルメタキシレノール、オルソフェニルフェノール、トリクロロカルバニリド、イソプロピルメチルフェノール、グレープフルーツ種子抽出物、ポリリジン、卵白リゾチーム、グリセリン脂肪酸エステル、茶抽出物、プロタミン、竹エキス、エギノキ抽出物、カワラヨモギ抽出物、ヒノキチオール、ホオノキ抽出物、レンギョウ抽出物、ペクチン分解物等が挙げられる。
【００５７】
芳香剤としては、例えば天然及び人工の各種香料を用いることができ、植物性、動物性の天然ローズ、クローブ、レモン、カルダモン、ビャクダン、クロモジ、シンナモン等植物性香料、ムスク、シベット、カストリウム、アンバーグリス等動物性香料、レモングラス、ペパーミント等の単離香料や炭化水素、アルコール、フェノール、アルデヒド、ケトン、ラクトン、オキシド、エステル類等の人工香料等が挙げられる。
【００５８】
消臭剤としては、例えばシトラール、シンナミックアルデヒド、カンファー、ボルニルアセテート等の芳香系消臭剤、テレピン油、ユーカリ油、ビャクダン油等植物性精油の中和系消臭剤、ベンズアルデヒド、桂皮アルデヒド、マレイン酸ジメチル、フマル酸エステル等の化学反応系消臭剤や茶葉、緑茶、マテ茶、カカオ、パセリ、シソ科植物等の抽出成分などが挙げられる。
【００５９】
【発明の効果】
本発明によれば、ファンの吸い込み側と蒸散器との間に隔壁を設け、蒸散器より蒸散される蒸散薬剤がファンに直接吸引されないようにしたことにより、蒸散器から蒸散された蒸散薬剤がファンの吸い込み側から直接吸い込まれることがなくなって、ファンの羽根に薬剤が付着することがなくなり、薬剤は送風気流にのみ吸引され、送風気流に同伴するからファンに蒸散薬剤が付着することによる蒸散薬剤量の損失と、ファンの羽根の汚れを防止することができる。
【００６０】
また、ファン本体の真下に蒸散口が配置されるように蒸散器を配置したことにより、蒸散器の蒸散能力を損なわずに、確実に蒸散薬剤をファンの気流を広い空間においても均一に拡散することができるだけでなく極めてコンパクトに構成することができる。
【００６１】
さらに、上記ファンが水平面または垂直面で回転可能にしたことにより、蒸散装置の設置場所の多様化を図ることができる。
【図面の簡単な説明】
【図１】ファン本体の下方２ｃｍの位置に送風方向に位置をずらせて煙源を配置したときの煙の流れを示す模式図である。
【図２】ファン本体の下方５ｃｍの位置に送風方向に位置をずらせて煙源を配置したときの煙の流れを示す模式図である。
【図３】ファン本体の下方１０ｃｍの位置に送風方向に位置をずらせて煙源を配置したときの煙の流れを示す模式図である。
【図４】本発明の第１実施例を概略的に示す断面図である。
【図５】図４に示す蒸散装置の正面図である。
【図６】本発明に係る蒸散装置に用いる蒸散器の一例を示す断面図である。
【図７】本発明の第１実施例の使用状態を示す説明図である。
【図８】本発明の第２実施例を概略的に示す斜視図である。
【図９】本発明の第２実施例を概略的に示す断面図である。
【図１０】本発明の第２実施例の使用状態を示す説明図である。
【図１１】本発明の第３実施例の概略的に示す横断平面図である。
【図１２】本発明の第３実施例の概略的に示す縦断側面図である。
【図１３】本発明の第３実施例の概略的に示す縦断正面図である。
【図１４】本発明の第３実施例の概略的に示す正面図である。
【図１５】送風方向を９０度回転させた場合の投影面積図である。
【図１６】比較例図である。
【符号の説明】
１…ファン本体、２…隔壁、３…送風上縁、４…送風下縁、５…収納体、６…吹き出し口、７…吸引口、８…蒸散器、９…蒸散口、１１…仕切り壁、１２…ボトル、１３…吸液芯、１４…発熱体、１５…部屋、１６，１７…収納体、１８…空気流入口。
【図１】
0004314547.tif 000007
【図２】
0004314547.tif 000008
【図３】
0004314547.tif 000009
【図４】
0004314547.tif 000010
【図５】
0004314547.tif 000011
【図６】
0004314547.tif 000012
【図７】
0004314547.tif 000013
【図８】
0004314547.tif 000014
【図９】
0004314547.tif 000015
【図１０】
0004314547.tif 000016
【図１１】
0004314547.tif 000017
【図１２】
0004314547.tif 000018
【図１３】
0004314547.tif 000019
【図１４】
0004314547.tif 000020
【図１５】
0004314547.tif 000021
【図１６】
0004314547.tif 000022